(57)【要約】  固定部材（１）は、生体に係る情報である生体情報を検出するプローブ（５０）を、生体の所定部位に接触配置又は近接配置する固定部材である。当該固定部材は、プローブの一部を露出させつつ、プローブをその周囲から着脱可能に覆うケース部（１０）を備える。ケース部は、プローブと嵌合する第１嵌合部（１０ｂ、１０ｄ、１０ｅ）を有する。
2017145262.tif 000002
【特許請求の範囲】
【請求項１】
生体に係る情報である生体情報を検出するプローブを、前記生体の所定部位に接触配置又は近接配置する固定部材であって、
前記プローブの一部を露出させつつ、前記プローブをその周囲から着脱可能に覆うケース部を備え、
前記ケース部は、前記プローブと嵌合する第１嵌合部を有する
ことを特徴とする固定部材。
【請求項２】
前記ケース部を、前記生体に固定するための医療用テープを更に備えることを特徴とする請求項１に記載の固定部材。
【請求項３】
前記第１嵌合部には、前記プローブの脱落を防止するフックが形成されていることを特徴とする請求項１に記載の固定部材。
【請求項４】
前記プローブは、前記生体に光を照射する発光素子及び前記生体からの戻り光を受光する受光素子が配置された受発光面を有しており、
前記ケース部の一の面は、前記受発光面と同一面高さになるように形成されている
ことを特徴とする請求項１に記載の固定部材。
【請求項５】
プローブを備え、
前記プローブは、生体に係る情報である生体情報を検出する検出部と、前記検出部を支持する支持部とを有し、
前記支持部は、前記プローブを前記生体の所定部位に接触配置又は近接配置する固定部材と嵌合する第２嵌合部を有する
ことを特徴とする生体情報取得装置。
【発明の詳細な説明】
【技術分野】
【０００１】
本発明は、生体に生体情報取得装置を固定するための固定部材、及び生体情報取得装置の技術分野に関する。
【背景技術】
【０００２】
この種の生体情報取得装置は、その測定時に、該生体情報取得装置のプローブが、例えば両面テープ等の固定部材により生体に取り付けられることがある。この場合、プローブ及び固定部材が使い捨て部材として扱われることが多く、生体情報取得装置のランニングコストが比較的高くなる。【０００３】
或いは、生体情報取得装置のプローブが、生体の指等を挟み込むことが可能なクリップ部に設けられている、所謂クリップタイプの生体情報取得装置が提案されている。しかしながら、その測定時に、クリップ部により生体の指等が圧迫されるので、長時間の測定には向かない。【０００４】
この種の固定部材として、例えば、生体情報取得装置の一例としてのオキシメータのプローブが収納される袋状本体部と、該袋状本体部の測定指への装着時に、指の根元側に位置し測定指が遊嵌される第１のリング状係止部と、指先側に位置し袋状本体部を測定指の指先部分に密着固定させる第２のリング状係止部と、を備えるプローブカバーが提案されている（特許文献１参照）。【０００５】
特許文献１に記載のオキシメータは、所謂クリップタイプのものであるが、プローブカバーを用いることにより、測定時の生体の圧迫を軽減している。特許文献１に記載の技術では、プローブカバーを用いることにより、プローブの再利用を可能とし、ランニングコストを低減している。
【先行技術文献】
【特許文献】
【０００６】
【特許文献１】特開２００５−１１０８１６号公報
【発明の概要】
【発明が解決しようとする課題】
【０００７】
特許文献１に記載の技術には、プローブカバーのプローブへの取り付けに関して改善の余地がある。【０００８】
本発明は、上記事柄に鑑みてなされたものであり、生体情報取得装置のプローブの着脱を容易とする固定部材及び生体情報取得装置を提供することを課題とする。
【課題を解決するための手段】
【０００９】
本発明の固定部材は、上記課題を解決するために、生体に係る情報である生体情報を検出するプローブを、前記生体の所定部位に接触配置又は近接配置する固定部材であって、前記プローブの一部を露出させつつ、前記プローブをその周囲から着脱可能に覆うケース部を備え、前記ケース部は、前記プローブと嵌合する第１嵌合部を有する。【００１０】
本発明の生体情報取得装置は、上記課題を解決するために、プローブを備え、前記プローブは、生体に係る情報である生体情報を検出する検出部と、前記検出部を支持する支持部とを有し、前記支持部は、前記プローブを前記生体の所定部位に接触配置又は近接配置する固定部材と嵌合する第２嵌合部を有する。【００１１】
本発明の作用及び他の利得は次に説明する実施するための形態から明らかにされる。
【図面の簡単な説明】
【００１２】
【図１】実施例に係る固定部材を示す斜視図である。
【図２】実施例に係る固定部材のケース部の特徴部分を示す図である。
【図３】実施例に係る固定部材の医療用テープの構成を示す図である。
【図４】実施例に係る固定部材が、レーザ血流計装置のプローブに装着されたときの特徴を説明する図である。
【図５】変形例に係る固定部材のケース部、及びレーザ血流計装置のプローブ各々の嵌合部を示す図である。
【発明を実施するための形態】
【００１３】
本発明の固定部材及び生体情報取得装置各々に係る実施形態を説明する。
【００１４】
（固定部材）
実施形態に係る固定部材は、生体に係る情報である生体情報を検出するプローブを、生体の所定部位に接触配置又は近接配置する固定部材である。生体情報は、例えば血流量、血中酸素飽和度、脈拍、体温等であるが、本実施形態では特に限定されない。
【００１５】
固定部材は、プローブの一部を露出させつつ、該プローブをその周囲から着脱可能に覆うケース部を備える。本実施形態では特に、ケース部は、プローブと嵌合する第１嵌合部を有する。
【００１６】
本実施形態に係る固定部材によれば、ケース部が第１嵌合部を有しているので、比較的容易にして、固定部材をプローブに装着し、固定部材をプローブから脱離することができる。特に、第１嵌合部によりケース部内におけるプローブの位置を固定することができる。加えて、固定部材のみを使い捨てとすればよいので、生体情報取得装置のランニングコストを低減することができる。
【００１７】
実施形態に係る固定部材の一態様では、当該固定部材は、ケース部を、生体に固定するための医療用テープを更に備える。
【００１８】
この態様によれば、ケース部に医療用テープが取り付けられた状態で、当該固定部材が提供される。このため、ユーザが、例えばテープ、バンド等の用具を別途用意する必要がなく実用上非常に有利である。
【００１９】
特に、当該固定部材の使用時には、ケース部が医療用テープにより生体に固定されるので、所謂クリップタイプに比べ、生体の圧迫を抑制しつつ、当該固定部材が生体から外れることを好適に防止することができる。
【００２０】
実施形態に係る固定部材の他の態様では、第１嵌合部には、プローブの脱落を防止するフックが形成されている。
【００２１】
この態様によれば、測定中に当該固定部材からプローブが脱落することを防止することができ、実用上非常に有利である。
【００２２】
実施形態に係る固定部材の他の態様では、プローブは、生体に光を照射する発光素子及び生体からの戻り光を受光する受光素子が配置された受発光面を有しており、ケース部の一の面は、受発光面と同一面高さになるように形成されている。尚、「同一面高さ」は、完全に同一の高さである場合に限らず、実践上同一とみなせる高さを含む概念である。
【００２３】
ここで、プローブがケース部に装着された場合に、受発光面がケース部の一の面に対して凹んでいると、当該固定部材が生体に取り付けられる際の押しつけ方により生体表面の変形のしかたが異なり、生体表面と受発光面との間の距離を一定に保つことが難しい。特に、生体情報としての血流量が測定される場合、生体表面と受発光面との間の距離によって血流信号の大きさが変化してしまい、測定結果の信頼性が低下する可能性がある。
【００２４】
或いは、プローブがケース部に装着された場合に、受発光面がケース部の一の面から突出していると、当該固定部材が生体に取り付けられた際に、受発光面が生体を比較的強く圧迫してしまう。特に、生体情報としての血流量が測定される場合、生体が比較的強く圧迫されると血流信号が小さくなる傾向があり、測定結果の信頼性が低下する可能性がある。
【００２５】
この態様のように、ケース部の一の面が、プローブの受発光面と同一面高さになるように形成されていれば、プローブがケース部に装着された場合に、ケース部の一の面とプローブの受発光面との間に段差は生じない。従って、この態様によれば、生体表面と受発光面との間の距離のばらつきを抑制し、該ばらつきに起因する測定結果への影響を抑制することができる。
【００２６】
（生体情報取得装置）
実施形態に係る生体情報取得装置は、生体に係る情報である生体情報を検出する検出部と、該検出部を支持する支持部とを有するプローブを備えて構成されている。本実施形態では特に、支持部は、プローブを生体の所定部位に接触配置又は近接配置する固定部材と嵌合する第２嵌合部を有する。
【００２７】
本実施形態に係る生体情報取得装置によれば、プローブの支持部が第２嵌合部を有しているので、比較的容易にして、固定部材をプローブに装着し、固定部材をプローブから脱離することができる。加えて、固定部材のみを使い捨てとすればよいので、生体情報取得装置のランニングコストを低減することができる。
【実施例】
【００２８】
本発明の固定部材に係る実施例について図面を参照して説明する。以下の実施例では、生体情報取得装置の一例としてレーザ血流計装置を挙げる。尚、以下で参照する各図においては、各部材を図面上で認識可能な程度の大きさとするため、各部材の縮尺を適宜異ならしめてある。【００２９】
（固定部材の構成）
実施例に係る固定部材の概要について、図１を参照して説明する。図１は、実施例に係る固定部材を示す斜視図である。【００３０】
図１において、固定部材１は、レーザ血流計装置のプローブ５０に装着されるケース部１０と、該ケース部１０を生体に固定するための医療用テープ２０と、を備えて構成されている。当然のことながら、ケース部１０は、プローブ５０の寸法に適した寸法に構成されている。【００３１】
ここで、プローブ５０は、生体情報としての血流量を検出する検出部５１と、該検出部５１を支持する支持部５２とを備えて構成されている。検出部５１の受発光面５１ａには、測定対象である生体に対して光を照射する、発光素子の一例としての、半導体レーザと、該生体からの散乱光を受光する受光素子とが配置されている。【００３２】
プローブ５０は、図１におけるｙ軸方向にスライドされることにより、ケース部１０に挿入される、又は、ケース部１０から抜き取られる。ケース部１０には、プローブ５０の抜き差しを容易とするために（言い換えれば、プローブ５０へのケース部１０の着脱を容易とするために）、ケース部１０の上面１０ａ、下面及び側面により形成されたレール１０ｂを有する（図２（ａ）参照）。尚、図２（ａ）は、図１におけるｙ軸方向から見たケース部１０の平面図である。【００３３】
ケース部１０の内部には、該ケース部１０に挿入されたプローブ５０の脱落を防止するために、フック１０ｃが形成されている（図２（ｂ）参照）。尚、図２（ｂ）は、図１におけるｘｙ平面でケース部１０を切った断面図である。【００３４】
図１に示すように、プローブ５０がケース部１０に挿入されたとき（つまり、ケース部１０がプローブ５０に装着されたとき）に、プローブ５０の受発光面５１ａが露出するように（図４参照）、ケース部１０の上面１０ａにはスリットが形成されている。【００３５】
ケース部１０の上面１０ａは、プローブ５０にケース部１０が装着されたとき（図４参照）、プローブ５０の受発光面５１ａと同一面高さになるように（所謂“面一”となるように）形成されている。【００３６】
固定部材１の医療テープ２０は、図３に示すように、片面テープ２１及び両面テープ２２から構成されている。図３に示すようにケース部１０は、片面テープ２１と両面テープ２２との間に挟み込まれている。ここで、ケース部１０がプローブ５０に装着されたときに受発光面５１ａが露出されるように、ケース部１０の上面１０ａには両面テープ２２により覆われない部分が存在する。【００３７】
（技術的効果）
固定部材１は、レーザ血流計装置のプローブ５０に着脱可能に構成されている。このため、レーザ血流計装置の使用後は、固定部材１のみを交換すればよく、プローブ５０は繰り返し使用することができる。つまり、レーザ血流計装置による血流量測定では、固定部材１のみを使い捨てとすればよい。従って、固定部材１を用いることにより、レーザ血流計装置のランニングコストを低減することができる。【００３８】
ケース部１０がレール１０ｂを有するが故に、当該固定部材１のユーザは、比較的容易にして、ケース部１０をプローブ５０に装着し、また、ケース部１０をプローブ５０から脱離することができる。特に、ケース部１０は特定の形状を有しているので、例えば袋状部材に比べて、ケース部１０内におけるプローブ５０の位置を固定することができる。【００３９】
上述の如く、プローブ５０にケース部１０が装着されたとき、ケース部１０の上面１０ａとプローブ５０の受発光面５１ａとが同一面高さになるので、測定時における生体表面と受発光面５１ａとの間の距離のばらつきを抑制することができる。この結果、レーザ血流計装置の測定結果の信頼性を向上させることができる。【００４０】
図４に示すように、ケース部１０の上面１０ａの面積は、プローブ５０の受発光面５１ａの面積に比べて大きい。そして、プローブ５０にケース部１０が装着されたとき、ケース部１０の上面１０ａとプローブ５０の受発光面５１ａとが同一面高さになる。このため、固定部材１を用いてレーザ血流計装置のプローブ５０が生体に取り付けられるとき、接触面積が比較的大きくなるので、生体に加わる圧力を低減することができる。【００４１】
実施例に係る「上面１０ａ」及び「レール１０ｂ」は、夫々、本発明に係る「一の面」及び「第１嵌合部」の一例である。【００４２】
＜変形例＞
固定部材１の変形例について、図５を参照して説明する。図５は、変形例に係る固定部材のケース部、及びレーザ血流計装置のプローブ各々の嵌合部を示す図である。【００４３】
変形例に係る固定部材１のケース部１０の内部には、図５（ａ）に示すように、プローブ５０の支持部５２の側面に形成された凸条部５２ａと嵌合する溝部１０ｄが形成されている。【００４４】
或いは、変形例に係る固定部材１のケース部１０の内部には、図５（ｂ）に示すように、プローブ５０の支持部５２の側面に形成された溝部５２ｂと嵌合する凸条部１０ｅが形成されている。【００４５】
変形例に係る「溝部１０ｄ」及び「凸条部１０ｅ」は、本発明に係る「第１嵌合部」の他の例である。変形例に係る「凸条部５２ａ」及び「溝部５２ｂ」は、本発明に係る「第２嵌合部」の一例である。【００４６】
尚、固定部材１は、医療テープ２０に代えて、例えばヘッドバンド、胴バンド、足首バンド等を備えていてもよい。【００４７】
本発明は、上述した実施形態に限られるものではなく、請求の範囲及び明細書全体から読み取れる発明の要旨或いは思想に反しない範囲で適宜変更可能であり、そのような変更を伴う固定部材及び生体情報取得装置もまた本発明の技術的範囲に含まれるものである。
【符号の説明】
【００４８】
１…固定部材、１０…ケース部、１０ａ…上面、１０ｂ…レール、１０ｃ…フック、１０ｄ、５２ｂ…溝部、１０ｅ、５２ａ…凸条部、２０…医療テープ、５０…プローブ、５１…検出部、５１ａ…受発光面、５２…支持部
【図１】
2017145262.tif 000003
【図２】
2017145262.tif 000004
【図３】
2017145262.tif 000005
【図４】
2017145262.tif 000006
【図５】
2017145262.tif 000007
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
生体に係る情報である生体情報を検出するプローブを、前記生体の所定部位に接触配置又は近接配置する固定部材であって、
前記プローブの一部を露出させつつ、前記プローブを覆うケース部を備え、
前記ケース部は、前記プローブをスライドさせることで、前記ケース部と前記プローブ部とを着脱可能に前記プローブ部に嵌合する第１嵌合部を有する
ことを特徴とする固定部材。
【請求項２】
前記ケース部を、前記生体に固定するための医療用テープを更に備えることを特徴とする請求項１に記載の固定部材。
【請求項３】
前記第１嵌合部には、前記プローブをスライドさせるためのレールが形成されていることを特徴とする請求項１に記載の固定部材。
【請求項４】
前記プローブは、前記生体に光を照射する発光素子及び前記生体からの戻り光を受光する受光素子が配置された受発光面を有しており、
前記ケース部の一の面は、前記受発光面と同一面高さになるように形成されている
ことを特徴とする請求項１に記載の固定部材。
【請求項５】
プローブを備え、
前記プローブは、生体に係る情報である生体情報を検出する検出部と、前記検出部を支持する支持部とを有し、
前記支持部は、前記プローブを前記生体の所定部位に接触配置又は近接配置する固定部材にスライドさせることで、前記固定部材に着脱可能に嵌合する第２嵌合部を有する
ことを特徴とする生体情報取得装置。
【国際調査報告】
2017145262.tif 000008
2017145262.tif 000009